(57)【要約】【課題】複数層のシートカーテンによるシャッター全閉状態での気密性を向上させることができ、かつシャッター装置全体の小型化、コスト低減、シャッター据え付けスペースの制約緩和を図ることができると共に、複数層のシートカーテンをそれぞれの系統のサイドレールに分離誘導することができる複合シートシャッターを得ることにある。【解決手段】左右一対を１組とした複数組のサイドレール１と、各組のサイドレール１間を同時に昇降開閉する複数層のシートカーテン４と、これらのシートカーテン４を同時に巻き取り・巻き戻しする１つの巻取り機構５と、この巻取り機構５によるシートカーテン４の巻き戻し時に当該シートカーテン４のそれぞれをそれぞれの系統のサイドレール１に分離誘導するカーテン誘導部材１８，１９とを備えて成るものである。【選択図】図５
2008169587.tif 000002
【特許請求の範囲】
【請求項１】
左右一対を１組とした複数組のサイドレールと、各組のサイドレール間を同時に昇降開閉する複数層のシートカーテンと、これらのシートカーテンを同時に巻き取り・巻き戻しする１つの巻取り機構と、この巻取り機構によるシートカーテンの巻き戻し時に当該シートカーテンのそれぞれをそれぞれの系統のサイドレールに分離誘導するカーテン誘導部材とを備えて成ることを特徴とする複合シートシャッター。
【請求項２】
カーテン誘導部材は、巻取り機構から巻き戻しされたシートカーテンに接触回転して当該シートカーテンをそれぞれの系統のサイドレールに対して略真上から鉛直降下方向に誘導するローラからなっていることを特徴とする請求項１記載の複合シートシャッター。
【請求項３】
巻取り機構のカーテン巻取り部位において、各シートカーテンの相互間に介在させて当該シートカーテン同士のブロッキングを防止するブロッキング防止部材と、前記シートカーテンの繰り出し動作に追従させて前記ブロッキング防止部材を巻き取るブロッキング防止部材巻取機構とを備えていることを特徴とする請求項１記載の複合シートシャッター。
【請求項４】
複数層のシートカーテンは、それぞれの下端部に設けられた水切部同士を連結して当該水切部間を封止する水切連結部材が設けられていることを特徴とする請求項１記載の複合シートシャッター。
【請求項５】
水切連結部材は、各シートカーテンの水切部に対して着脱可能もしくは開閉可能に取り付けられていることを特徴とする請求項４記載の複合シートシャッター。
【発明の詳細な説明】
【技術分野】
【０００１】
この発明は、建物等の構築・構造物の開口部の開閉や間仕切り等に適用される複数層のシャッターカーテンを備えた複合シートシャッターに関するものである。
【背景技術】
【０００２】
従来のシャッターの一つにスラットシャッターがあり、このスラットシャッターは、構造物の開閉用空間部の両側に配置された断面ほぼコ字形状をなす左右一対のサイドレールと、これらのサイドレール間を昇降開閉するスラットカーテンと、このスラットカーテンを巻き取り・巻き戻しする巻取り機構とを備えた構成となっている。ここで、前記スラットカーテンは上下複数のスラット相互を屈曲可能に上下方向へ一連に接続した構成となっているため、そのカーテン表裏面は凹凸形状をなしており、このようなスラットカーテンの両側部を前記左右のサイドレール内に昇降自在に嵌め込んだ構成となっている。
【０００３】
このような構成のスラットシャッターのみを設置した場合、スラットカーテンの表裏面が凹凸形状であることなどから全閉状態のスラットカーテンにおいても、当該スラットカーテンと前記サイドレールとの間に隙間が生じ、この隙間から害虫やホコリ、ゴミ等が侵入して気密性を確保できないという問題があった。
【０００４】
その点、最近特に多用化傾向にあるシートシャッターは、前記スラットシャッターよりも気密性に優れている。そこで、前記スラットシャッターとシートシャッターとを併設することにより、気密性の向上を意図した複合シャッターも既に知られている。また、個々に独立した複数のシートシャッターを併設して複合シャッターとすることも考えられる。
【０００５】
なお、上記先行技術は当業者一般に知られた技術であって、文献公知発明に係るものではない。
【発明の開示】
【発明が解決しようとする課題】
【０００６】
従来の複合シャッターは以上のように構成され、個々に独立したスラットシャッターとシートシャッターとを単に組み合わせて併設したり、また、個々に独立した複数のシートシャッターを単に組み合わせて併設しているにすぎず、併設されたシャッターは、それぞれのシャッターカーテンを個々に巻き取り・巻き戻しする巻取り機構を必要としており、このため、シャッター装置全体が大型化し、シャッター据え付けスペースが制約されると共に大幅なコスト高を余儀なくされるという課題があった。
【０００７】
この発明は上記のような課題を解決するためになされたもので、複数層のシートカーテンによるシャッター全閉状態での気密性を向上させることができ、かつシャッター装置全体の小型化、コスト低減、シャッター据え付けスペースの制約緩和を図ることができると共に、複数層のシートカーテンをそれぞれの系統のサイドレールに分離誘導することができる複合シートシャッターを提供することを目的とする。
【課題を解決するための手段】
【０００８】
この発明に係る複合シートシャッターは、左右一対を１組とした複数組のサイドレールと、各組のサイドレール間を同時に昇降開閉する複数層のシートカーテンと、これらのシートカーテンを同時に巻き取り・巻き戻しする１つの巻取り機構と、この巻取り機構によるシートカーテンの巻き戻し時に当該シートカーテンのそれぞれをそれぞれの系統のサイドレールに分離誘導するカーテン誘導部材とを備えて成るものである。
【発明の効果】
【０００９】
この発明によれば、１つの巻取り機構で複数層のシートカーテンを同時に巻き取り・巻き戻しすることができるので、複数層のシャッターカーテンをそれぞれの系統の複数の巻取り機構で個々に開閉駆動する従来の複合シャッターに比してシャッター装置全体の小型化およびコスト低減が図れると共に、複合シートシャッター据え付けスペースの制約を緩和でき、かつ気密性を確保することができるという効果がある。また、１つの巻取り機構による複数層のシートカーテンの巻き戻し時にはそれぞれのシートカーテンがそれぞれの系統のサイドレールに向かってカーテン誘導部材により誘導されるため、１つの巻取り機構から同時に巻き戻しされる複数層のシートカーテン相互が干渉するようなことがなく、１つの巻取り機構による複数層のシートカーテンの同時巻き戻しをスムーズに遂行させることができるという効果がある。
【発明を実施するための最良の形態】
【００１０】
実施の形態１．
図１はこの発明の実施の形態１による複合シートシャッターの外観を示す斜視図、図２は図１中のサイドレール取付部の拡大横断面図、図３は図２中のサイドレールを示す拡大斜視図、図４は図１および図２におけるシートカーテンの側縁部を示す部分的な拡大正面図、図５は図１の概略的な縦断面図である。
図１および図５に示す複合シートシャッターは、左右一対を１組とした複数組（図示例では３組）のサイドレール１（以下、各組の左右のサイドレールを１Ａ，１Ｂ，１Ｃと呼称する）と、各組のサイドレール１Ａ，１Ｂ，１Ｃの上部に跨って配置された共通のカーテン収納ボックス３と、各組の左右のサイドレール１Ａ間，１Ｂ間，１Ｃ間を昇降開閉する複数層（図示例では３層）のシートカーテン４（４Ａ，４Ｂ，４Ｃ）と、これらのシートカーテン４Ａ，４Ｂ，４Ｃを軸回転によって同時に巻き取り・巻き戻しする１つの巻取り機構５（図５参照）とを備えた構成となっており、それらの具体的構成を以下に順次説明する。
【００１１】
この実施の形態１における各組のサイドレール１（１Ａ，１Ｂ，１Ｃ）は、図２に示すように、構造物の開閉用空間部の両側に立設された断面コ字形状をなす剛性のレール取付部材６にレールホルダ７を介して水平方向へ首振り可能に取り付けられている。なお、図３中の符号８は前記レールホルダ７を介して前記サイドレール１をシートカーテン４の緊張方向に付勢する緩衝用のスプリングである。
【００１２】
このような各組の左右のサイドレール１は、両者の対向面部に縦長のカーテンガイド溝１０を有する中空部材からなっており、それらのサイドレール１には、前記カーテン収納ボックス３のカーテン出入口付近に位置するアクセス通路１１（図３参照）が切欠形成されている。このアクセス通路１１によって、前記各サイドレール１は上側レール部１２と下側レール部１３とに区分形成されている。そして、前記上側レール部１２は弾性変形不能な剛性部材で形成され、かつ前記下側レール部１３は当該下側レール部１３のカーテンガイド溝１０の溝幅を拡げる方向に弾性変形可能な半弾性部材で形成されている。
【００１３】
一方、前記シートカーテン４の両側縁部には、前記両サイドレール１の内側面に摺動自在に係合する務歯列状をなしたカーテン抜け止め用の係合子１４（図２および図４参照）群が設けられている。ここで、前記各組の左右のサイドレール１間のシートカーテン４が、例えば工場等で作業車の衝突や強力な風圧および降下動作過程での障害物等による三次元方向のあらゆる方向からの過度外力を受けて大きく撓んだとき、それぞれのシートカーテン４に追従する前記係合子１４群が半弾性部材の下側レール部１３を内側から押圧弾性変形させてカーテンガイド溝１０から抜け出すようになっている。
【００１４】
そのカーテンガイド溝１０から抜け出した係合子１４群は、巻取り機構５によるシートカーテン４の巻き上げ動作過程で前記アクセス通路１１から上側レール部１２内に引き込まれることにより、サイドレール１から外れたシートカーテン４がサイドレール１内に自動的に復帰するようになっている。
【００１５】
また、前記各シートカーテン４Ａ，４Ｂ，４Ｃの下端部には水切部１５，１６，１７が設けられている。さらに、前記各サイドレール１Ａ，１Ｂ，１Ｃの上端部には、前記カーテン収納ボックス３内に臨むラッパ状のカーテン誘導部１ａ，１ｂ，１ｃがそれぞれ形成されている。
【００１６】
以上のように構成された複合シートシャッターのカーテン収納ボックス３内には、図５に示すように、１つの巻取り機構５から同時に巻き戻しされる各層のシートカーテン４Ａ，４Ｂ，４Ｃをそれぞれの系統のサイドレール１Ａ，１Ｂ，１Ｃに分離誘導させるためのカーテン誘導部材１８，１９が配置されている。
【００１７】
この実施の形態１において、前記巻取り機構５は、３層のシートカーテン４Ａ，４Ｂ，４Ｃのうちの中間層のシートカーテン４Ｂをこの系統のサイドレール１Ｂに対して略鉛直降下方向に繰り出す位置に配置されている。このように１つの巻取り機構５が内部に配置されたカーテン収納ボックス３内には、前記中間層のシートカーテン４Ｂを除く他の層のシートカーテン４Ａ，４Ｃを、これらの系統のサイドレール１Ａ，１Ｃに対して略真上から鉛直降下方向に誘導するためのカーテン誘導部材１８，１９が配置されている。これらのカーテン誘導部材１８，１９は、前記巻取り機構５から巻き戻しされたシートカーテン４Ａ，４Ｃのそれぞれに接触回転するカーテン誘導ローラからなっている。なお、これらのカーテン誘導部材１８，１９の軸方向の長さは、巻取り機構５の回転軸方向の長さより短くても良いが、同等以上の長さを有することが好ましい。また、カーテン誘導部材１８，１９の軸方向の長さが、巻取り機構５の回転軸方向の長さより短い場合には、カーテン誘導部材１８，１９は、カーテン誘導部材１８，１９の軸方向に複数設けられてもよい。
【００１８】
次に動作について説明する。
１つの巻取り機構５によって各層のシートカーテン４Ａ，４Ｂ，４Ｃが同時に巻き取り・巻き戻しされるが、それらの巻き戻し時において、中間層のシートカーテン４Ｂはこの系統のサイドレール１Ｂに対して巻取り機構５から略鉛直降下方向に直接繰り出される。これと同時に、前記中間層のシートカーテン４Ｂを挟む他の層のシートカーテン４Ａ，４Ｃは、前記巻取り機構５からカーテン誘導部材（カーテン誘導ローラ）１８，１９に向かって斜めに繰り出された後、これらのカーテン誘導部材１８，１９によって、それぞれの系統のサイドレール１Ａ，１Ｃに対し当該サイドレール１Ａ，１Ｃのそれぞれの略真上から鉛直降下方向に繰り出される。
【００１９】
したがって、前記実施の形態１によれば、１つの巻取り機構５から同時に繰り出される各層のシートカーテン４Ａ，４Ｂ，４Ｃが前記カーテン誘導部材１８，１９によって所定の繰り出し方向に分離されることにより、各層のシートカーテン４Ａ，４Ｂ，４Ｃ相互がカーテン収納ボックス３内で干渉するようなことがなく、しかも、各層のシートカーテン４Ａ，４Ｂ，４Ｃを前記カーテン誘導部材１８，１９からそれぞれの系統のサイドレール１Ａ，１Ｂ，１Ｃに対して当該サイドレール１Ａ，１Ｂ，１Ｃの略真上から鉛直降下方向にスムーズに繰り出すことができるという効果がある。なお、巻取り機構５の巻取り、巻き戻しの回転動作は好ましくは図示しない電動モータ等の駆動装置により行われる。
【００２０】
実施の形態２．
図６はこの発明の実施の形態２による複合シートシャッターを示す概略的な縦断面図であり、図５と同一部分には同一符号を付して重複説明を省略する。
この実施の形態２では、前記実施の形態１による複合シートシャッターにおいて、巻取り機構５のカーテン巻取部位で各シートカーテン４Ａ，４Ｂ，４Ｃの相互間にブロッキング防止部材２０，２１を介在させると共に、これらのブロッキング防止部材２０，２１を個々に巻き取るブロッキング防止部材巻取機構２２，２３を前記カーテン収納ボックス３内に配置したものである。
【００２１】
この実施の形態２において、前記ブロッキング防止部材２０，２１としてシートカーテンに用いる材質とくっつきにくい材質よりなる紐状物や帯状物、線状材等が適用され、これらのブロッキング防止部材２０，２１を巻き取るブロッキング防止部材巻取機構２２，２３は、前記巻取り機構５とカーテン誘導部材１８，１９との間で各シートカーテン４Ａ，４Ｂ，４Ｃの相互間に配置されてブロッキング防止部材２０，２１を巻き取る方向に回転付勢力を有する巻取りリールからなっている。
【００２２】
以上説明した実施の形態２によれば、巻取り機構５のカーテン巻取部位において、各シートカーテン４Ａ，４Ｂ，４Ｃの相互間に介在させたブロッキング防止部材２０，２１によって、前記シートカーテン４Ａ，４Ｂ，４Ｃの相互が直に接触しないので、当該シートカーテン同士のブロッキング（互いにくっついてしまう現象）を防止することができ、１つの巻取り機構５による各シートカーテン４Ａ，４Ｂ，４Ｃの同時巻き取り・巻き戻しをスムーズに遂行させることができるという効果がある。
【００２３】
しかも、前記ブロッキング防止部材２０，２１を巻き取るブロッキング防止部材巻取機構２２，２３が巻き取り方向の回転付勢力を有することにより、前記巻取り機構５によるカーテン巻き戻し時にシートカーテン４Ａ，４Ｂ，４Ｃに追従して前記巻取り機構５から繰り出されるブロッキング防止部材２０，２１を前記ブロッキング防止部材巻取機構２２，２３によって自動的に巻き取ることができるという効果がある。
【００２４】
実施の形態３．
図７はこの発明の実施の形態３による複合シャッターの複数層のシートカーテン相互の下部連結構造を示す概略図である。
前記各層のシートカーテン４Ａ，４Ｂ，４Ｃのそれぞれの下端部に設けられた水切部１５，１６，１７の相互を水切連結部材２４もしくは２５で連結して前記水切部１５，１６，１７の相互間を封止したものである。さらに詳しく説明すると、図７（Ａ）に示す水切連結部材２４は、前記水切部１５，１６，１７の相互を着脱可能（剥離可能）に連結して当該水切部１５，１６，１７の相互間を封止する貼着テープからなり、図７（Ｂ）に示す水切連結部材２１は、前記水切部１５，１７に設けられたファスナ２５ａと、このファスナ２５ａを開閉するスライダー２５ｂとからなる構成としたものである。
【００２５】
この実施の形態３によれば、前記水切連結部材２４，２５によって前記水切部１５，１６，１７の接地面積が拡大することにより、前記各シートカーテン４Ａ，４Ｂ，４Ｃを安定性良く接地させることができ、その接地状態で各シートカーテン４Ａ，４Ｂ，４Ｃが風圧等で捲れるのを抑制することができると共に、各シートカーテン４Ａ，４Ｂ，４Ｃ間に断熱空間および防音空間を形成することができるという効果がある。
【００２６】
なお、前記実施の形態３による水切連結部材２４，２５は、貼着テープやファスナ構成のものに限らず、前記水切部１５，１６，１７の相互を着脱可能もしくは開閉可能に連結封止できるものであればよく、同様の効果が得られる。
【図面の簡単な説明】
【００２７】
【図１】図１はこの発明の実施の形態１による複合シートシャッターの外観を示す斜視図である。
【図２】図１中のサイドレール取付部の拡大横断面図である。
【図３】図２中のサイドレールを示す拡大斜視図である。
【図４】図１および図２におけるシートカーテンの側縁部を示す部分的な拡大正面図である。
【図５】図１の概略的な縦断面図である。
【図６】この発明の実施の形態２による複合シートシャッターの概略的な縦断面図である。
【図７】この発明の実施の形態３による複合シートシャッターの複数層のシートカーテン相互の下部連結構造を示す概略図である。
【符号の説明】
【００２８】
１（１Ａ，１Ｂ，１Ｃ）  サイドレール
１ａ，１ｂ，１ｃ  カーテン誘導部
３  カーテン収納ボックス
４（４Ａ，４Ｂ，４Ｃ）  シートカーテン
５  巻取り機構
６  レール取付部材
７  レールホルダ
８  スプリング
１０  カーテンガイド溝
１１  アクセス通路
１２  上側レール部
１３  下側レール部
１４  係合子
１５，１６，１７  水切部
１８，１９  カーテン誘導部材
２０，２１  ブロッキング防止部材
２２，２３  ブロッキング防止部材巻取機構
２４，２５  水切連結部材
２５ａ  ファスナ
２５ｂ  スライダー
【図１】
2008169587.tif 000003
【図２】
2008169587.tif 000004
【図３】
2008169587.tif 000005
【図４】
2008169587.tif 000006
【図５】
2008169587.tif 000007
【図６】
2008169587.tif 000008
【図７】
2008169587.tif 000009